(57)【要約】【課題】  異なる絵やメッセージが表示される３次元ジグソーパズルを提供すること。【解決手段】  ３次元ジグソーパズルは、空間を規定する枠と、前記枠の空間内に回転可能に受け入れられた複数のほぼ三角の柱状体セットとを含み、各三角柱状体は複数の側面と、前記三角柱状体の側面に取り外し可能に取付けられ、それぞれ三角柱状体の面上の小片の図形が組み合わせられて絵が表示されるように構成された小片と、前記絵を回転させるようにほぼ三角柱状の複数の柱状体を回転させる回転装置とを含む。【選択図】  図１
2005278927.tif 000002
【特許請求の範囲】
【請求項１】
３次元のジグソーパズルであって、
空間を内部に規定する枠と、
前記枠の空間に回転可能に受け入れられ、それぞれが複数の側面を有する複数のほぼ三角の柱状体のセットと、
前記三角柱状体の側面に取り外し可能に取り付けられ、各側面に小片の図形が組み合わせられると絵が表示されるように構成された、図形が描かれた小片と、
前記複数の三角柱状体のセットを、前記絵が回転するように回転させる手段とを含み、
前記小片は、上部小片と、中間部小片と、下部小片とを含み、
各上部小片は、前記枠の上部側面に対応する平坦な上部側面と、２つの対向する先細状の側面と、底面とを有し、各下部小片は前記枠の下部側面に対応する平坦な下部側面と、２つの対向する先細状の側面と頂面とを有し、上部の小片、中間部の小片及び下部の小片とが三角柱状体の側面で結合されると絵が表示されるように、各中間部小片は、隣接する中間部小片の底面、または、上部小片の底面に、相補的に対応するように構成され、
１個の上部小片と、１個の下部小片と、複数の中間部小片とは、１つの三角柱状体の１つの側面を覆うことができ、
各三角柱状体は、その側面に前記三角柱状体の長手方向軸線に沿って規定された溝を有し、各小片は、前記側面の溝に対応するように小片の背部側の面から伸びる少なくとも１つの延長部を有する、３次元ジグソーパズル。
【請求項２】
前記回転手段は、前記三角柱状体の下端に取り付けられた接続ヘッドを含み、前記接続ヘッドの底面に形成された第１歯車と、モーターが作動されるとき、第２歯車の回転により前記第１歯車が回転し、前記三角柱状体も回転するように、モーターに作動可能に接続されるように第１歯車に噛合された第２歯車とを含み、
各三角柱状体は、その上端に規定された開口を有し、第２接続ヘッドは前記枠内空間に受け入れられるように上方に伸びる柱と、前記三角柱状体の下方に向かって前記開口の中に伸びる接続ボスとを有し、
各三角柱状体はその下端に規定された下部開口を有し、前記接続ヘッドはその頂面に前記下部開口に嵌合するように形成されたボスを有する、請求項１に記載のジグソーパズル。
【請求項３】
上部小片、下部小片、および中間部小片はそれぞれの背面から伸びる突出部を有し、前記三角柱状体の各側面は、前記上部、下部、及び中間部の小片の突出部に対応してそれらを受け入れる複数の受け入れ穴を有する、請求項１に記載の３次元ジグソーパズル。
【発明の詳細な説明】
【技術分野】
【０００１】
本発明は、ジグソーパズルに関し、特に、複数のほぼ三角の柱状体のそれぞれが、該注状体の側面に取り外し可能に取り付けられた複数の小片からなり、前記ジグソーパズルが完成したとき異なる３つの絵が表示されるように構成された、モーター付き３次元ジグソーパズルに関する。
【背景技術】
【０００２】
通常、３次元ジグソーパズルは、完成した後ただ１枚の絵のみが表示される。そのため、ジグソーパズルがどのように表示されても、その絵で伝えられるメッセージは一つしかない。さらに、ジグソーパズル上の利用スペースのため、メッセージは短く、したがって、商業上の掲示として利用すると、時には混乱を招く。この欠点を解消するため、本発明は上記の問題を緩和するジグソーパズルを提供する。
【発明の開示】
【発明が解決しようとする課題】
【０００３】
本発明の主な目的は、複数のほぼ三角の柱状体がモーターに接続されたジグソーパズルであって、モーターが作動すると前記三角柱状体が回転してその側面のジグソーパズルの小片の配置が完了した後に、異なる絵やメッセージが表示されるように形成されたモーター付き３次元ジグソーパズルを提供することである。
【０００４】
本発明の別の目的は、前記の各三角柱状体がその側面に取り外し可能に取付けられた複数の小片を有し、前記三角柱状体が特定の位置に整列すると異なる絵が表示されるように、隣接する三角柱状体上の小片が相補うようにすることである。
【０００５】
本発明のその他の目的、利点、及び新規な特徴は、添付の図面を参照しての以下の詳細な説明によりさらに明らかになるであろう。
【発明を実施するための最良の形態】
【０００６】
図１及び２を参照するに、本発明に従って構成されたモーター付き３次元（３Ｄ）ジグソーパズルは、枠１と、複数のほぼ三角柱状の柱体セット２とを含む。
【０００７】
枠１は前記三角柱状の柱体セット２を収容する空間１１を規定する。各三角柱状体セット２は、ほぼ三角柱状の柱体２０と、複数の小片３とを有する。さらに、伝達装置４が、三角柱状体セットの下部に備えられている。
【０００８】
前記ほぼ三角柱状の柱体２０は、その長手方向の軸線に沿って規定された溝をそれぞれ有する三つの面を備える。小片３は、上部小片３１と、下部小片３２と、中間部小片３３とを含む（図３）。各小片３は、三角柱状体２０の溝２１に対応する、少なくとも１つ（この実施例では２つ）の延長部３４を１つの面に形成している。
【０００９】
図３を参照するに、上部小片３１は、枠１の上部側面に対応する平坦な上部側面３１１と、２つの対向する先細状の側面３１２と、前記平坦な上部側面３１１に対向し切欠３１４を有する底面３１３とを備える。下部小片３２は、枠１の下部の一側面に対応する平坦な底面３２１と、２つの対向する先細状の側面３２２と、突出部３２４をその中に規定した頂面３２３とを有する。上部３１に隣接する中間部小片３３の１つは、下部小片３２の突出部３２４に対応する少なくとも１つの切欠３３２を有する。中間部小片３３の残りのものは、中間部小片３３が相互に結合できるように、隣接する中間部小片３３と相補的な形状を有する。さらに、前記先細状の側面の特徴は、上部小片３１と下部小片３２とに当てはまるのみならず、中間部小片３３のそれぞれにも当てはまる。  
図４を参照するに、各小片３の先細状の側面の特徴のため、横方向に隣接する小片３が、対応する溝２１に挿入された延長部３４によってほぼ三角柱状の柱体２０に組み込まれると、隣接する小片３の側面同士が密接に係合して、柱体２０の３つの面と完全に係合することが注目される。すなわち、図４の小片３を上部小片３１とすると、この３つの上部小片３１が横方向に結合されるとき、１つの上部小片３１の先細状の側面３１２が、隣接する上部小片３１の先細状の側面３１２と完全に係合される。
【００１０】
図２を参照するに、前記したように、伝達装置４が三角柱状体２の下端部に取付けられている。各三角柱状体２０の頂端部には、第１接続ヘッド３５が取り外し可能に取付けられ、第１の接続ヘッド３５の頂面から上方に伸びる柱３５１と、第１接続ヘッド３５の底面から下方に伸びて、対応する溝２１の一つと連通するように三角柱状体２０の３つの側面のそれぞれの上端部に規定された３つの上部開口２１２に対応する３つの接続ボス３５２とを有する。第１接続ヘッド３５の底面は、上部小片３１のそれぞれの平坦な側面３１１に当接する。伝達装置４は、３つの溝２１と連通するように三角柱状体２０の下端部に規定された３つの下部開口２１３に対応するように頂面に形成された３つのボス４１１を備えた第２接続ヘッド４１と、第２接続ヘッド４１の底面に一体に形成された第１歯車４１２とを含む。ボス４１１が三角柱状体２０の下部開口２１３に挿入された後、第２接続ヘッド４１が三角柱状体２０に固定される。第２歯車４１３が、第１歯車４１２と噛合するように備えられており、モーター４１４が、第２歯車４１３の回転を制御するように第２歯車４１３に接続されている。
【００１１】
図５及び６を参照するに、三角柱状体２０の接続ヘッド３５の柱３５１が空間１１に回転可能に挿入され、小片３が三角柱２０に取り外し可能に取り付けられた後、相互に噛合した第１歯車４１２と第２歯車４１３とが、モーター４１４が作動された後にそれぞれ三角柱状体２０を駆動して回転させる。
【００１２】
小片３は複数のほぼ三角柱状の柱体セット２の３つの各側面に取り外し可能に取り付けられているので、各小片３が（図２に示すように）１つの図形を備えるとき、３つの異なる絵が表示されることが注目される。したがって、三角柱状の柱体セット２の３つの絵を合わせることは、本発明のジグソーパズルをさらにむずかしくするだけでなく、ジグソーパズルが完成された後、ユーザーは三角柱状の柱体セット２の回転によってメッセージを伝えるのに異なる絵を使用することができる。
【００１３】
図７Ａ、７Ｂ、７Ｃ、さらに図６も参照するに、モーター４１４が作動するとき、各小片３の図形からなる絵が回転されるように、各三角柱状体２０が回転される。
【００１４】
図８を参照するに、三角柱状体２０は、その各側面に、小片３１の背部側面に形成された突出部３１’に対応する穴２１’を有する。
【００１５】
本発明の多数の特徴及び利点を構成及び機能の詳細と共に説明したが、これらは例示にすぎず、細部において、特に形状、大きさ、部品の配置など本発明の原理の範囲内で変更が可能である。
【図面の簡単な説明】
【００１６】
【図１】本発明のジグソーパズルの斜視図。
【図２】本発明のジグソーパズルの三角柱状体セットの分解斜視図。
【図３】図２に示した三角柱状体の小片の形状を示す分解斜視図。
【図４】図3に示した小片の構造について三角柱状体の横断面の構造を示す概略図。
【図５】三角柱状体セットと伝達装置との連結を示す概略横断面図。
【図６】図１の線６−６に沿った横断面図。
【図７Ａ】本発明の三角柱状体の回転状況を示す概略図。
【図７Ｂ】本発明の三角柱状体の回転状況を示す概略図。
【図７Ｃ】本発明の三角柱状体の回転状況を示す概略図。
【図８】本発明のジグソーパズルの異なる三角柱状体セットの分解斜視図。
【符号の説明】
【００１７】
１    枠
２    三角柱状体セット
３    小片
４    伝達装置
２０  三角柱状体
３５、４１  接続ヘッド  
４１２、４１３  歯車
４１４  モーター
【図１】
2005278927.tif 000003
【図２】
2005278927.tif 000004
【図３】
2005278927.tif 000005
【図４】
2005278927.tif 000006
【図５】
2005278927.tif 000007
【図６】
2005278927.tif 000008
【図７Ａ】
2005278927.tif 000009
【図７Ｂ】
2005278927.tif 000010
【図７Ｃ】
2005278927.tif 000011
【図８】
2005278927.tif 000012